(57)【要約】  【課題】  操作性を向上するために１つの操作コードにより上側スクリーンと下側スクリーンを開閉可能としながら昇降コードの取り回しを容易にするという課題がある。  【解決手段】  １つの操作コード８により入力された回転を分岐させ回転軸１０、１１を介して第１巻き取りパイプ１２と第２巻き取りパイプ１３が同時に回転するように構成しボトムレール６と中間レール７がほぼ同時に下端へ達した時に第１巻き取りパイプ１２端部に設置したねじ１４とナット１５によるクラッチ作用により第１巻き取りパイプ１２の回転を停止または第２巻き取りパイプ１３の回転と接続することにより上下のスクリーン３、２を連続的に開閉操作できるようにした。  【選択図】  図２
0003131044.tif 000002
【実用新案登録請求の範囲】
【請求項１】
１つの操作コードにより入力された回転を分岐させヘッドボックス内に設けた第１巻き取りパイプと第２巻き取りパイプが同時に回転するように構成し、第１巻き取りパイプ端部に設置されたねじとナットのクラッチ作用により、第１巻き取りパイプが決められた位置に達すると回転を停止または開始するようにし、第２巻き取りパイプは操作コードの操作と同調して回転をすることにより上下２つのスクリーンを連続的に操作可能なプリーツスクリーン。
【考案の詳細な説明】
【技術分野】
【０００１】
本考案は、スクリーンを上下に連装するツイン形プリーツスクリーンに関するものである。
【背景技術】
【０００２】
従来技術として特許文献１に示される第１巻き取りパイプと第２巻き取りパイプを別々の操作コードで操作することにより中間レールとボトムレールを昇降させ上下２つのスクリーンを開閉する方法が考案されていた。
また、特許文献２に示される昇降コードの取り回し方法によって中間レールとボトムレールを昇降させ上下２つのスクリーンを開閉する方法が考案されていた。
【０００３】
【特許文献１】特開２００５−２０７１６１
【特許文献２】特開２００２−３４９１６０
【考案の開示】
【考案が解決しようとする課題】
【０００４】
操作性を向上するために１つの操作コードにより上側スクリーンと下側スクリーンを開閉可能としながら昇降コードの取り回しを容易にするという課題がある。
【０００５】
特許文献１では第１巻き取りパイプと第２巻き取りパイプの回転を２つの操作コードで別々に操作する必要があり、上側スクリーンの開閉と下側スクリーンの開閉を連続的に行うことができないという問題があった。そして、２つの操作コードが近接した場合には互いに絡むことがあり操作に支障をきたすことがある。また、各々の操作コードを離れた位置に配置した場合でも各々の操作コードと上下スクリーンの関係に混乱をきたし意図しないスクリーンを開閉することがあるなどの問題があった。
【０００６】
また、特許文献２では巻き取りパイプに繋がれた昇降コードを中間レールへ導き中間レール内で導出方向を転換しヘッドボックス内へ導き再度導出方向を転換し中間レールを通過させボトムレールへ導くという複雑な昇降コードの取り回しが必要であった。
【課題を解決するための手段】
【０００７】
１つの操作コードにより入力された回転を分岐させ回転軸を介してボトムレールを昇降させる第１昇降コードを巻き取る第１巻き取りパイプと、中間レールを昇降させる第２昇降コードを巻き取る第２巻き取りパイプが同時に回転するように構成する。
【０００８】
各々の昇降コードの巻き解かれが終わり、ボトムレールと中間レールがほぼ同時に下端へ達した時に第１巻き取りパイプ端部に設置したねじとナットによるクラッチが離れた状態となり第１回転軸の回転が第１巻き取りパイプへ伝達されなくなる。更に第１巻き取りパイプの回転を停止した状態で第２巻き取りパイプは回転を継続し再び第２昇降コードが巻き取られ中間レールを上昇させることが出来る。
【０００９】
この状態から操作コードを逆回転させると始めは第２巻き取りパイプのみが回転し第２昇降コードが巻き解かれる。中間レールが下端へ達した時クラッチが接続され第１巻き取りパイプも回転を始め第１昇降コードと第２昇降コードが巻き取られボトムレールと中間レールが上昇する。これにより１つの操作コードの操作により上下２つのスクリーンを連続的に開閉操作できるようにした。
【考案の効果】
【００１０】
本考案は複雑な昇降コードの取り回しをせずに１つの操作コードにより２つのスクリーンを連続的に開閉操作できるようにし、また操作コードを１つとすることで操作コードの絡まりをなくし容易な操作が可能な上下２つのスクリーンを有するツイン形プリーツスクリーンを提供することができる。
【考案を実施するための最良の形態】
【００１１】
１つの操作コードにより入力される回転を分岐させ２つの巻き取りパイプに取り付けられた夫々の昇降コードにより、中間レール及びボトムレールの昇降に伝達する仕組みとする。中間レールは操作コードの回転により常に上昇または下降するが、ボトムレールは決められた位置に達すると入力された回転がクラッチにより伝達される場合とされない場合を作ることで、ボトムレールを上下昇降のほか下端に維持することができる。
【００１２】
この時ボトムレールを上下させる昇降コードを巻き取る第１巻き取りパイプはねじとナットが勘合された場合に操作コードからの入力が伝達され回転しボトムレールが上昇する。ねじとナットが緩む場合は第１巻き取りパイプの回転が止まりボトムレールは上昇しない。
【００１３】
この動作はブラインドの高さに応じて昇降される昇降コードの長さ分を送りナットおよびねじの回転に応じてねじとナットがクラッチの役目を果たすことで第１巻き取りパイプの回転を制御させることを可能にした。
【実施例】
【００１４】
本考案による実施例を図１から図１０に示し説明する。
図１により第１巻き取りパイプ１２と第２巻き取りパイプ１３に各々第１昇降コード４第２昇降コード５が巻き取られボトムレール６と中間レール７が最上部に位置し下側スクリーン２と上側スクリーン３が閉じられた状態を示す。
【００１５】
図２によりボトムレール６と中間レール７が同時に下降途中の状態を示す。第１巻き取りパイプ１２および第２巻き取りパイプ１３に巻き取られた第１昇降コード４第２昇降コード５が巻き解かれる方向へ操作コード８を回転操作すると回転は第１回転軸１０を伝わりねじ１４へ伝達される。
【００１６】
第１巻き取りパイプ１２端部に勘合されたナット１５とねじ１４の関係に緩みが生じ、このクラッチ作用により第１巻き取りパイプ１２へ回転は伝達されないが、第１巻き取りパイプ１２に巻き取られた第１昇降コード４の他端部のボトムレール６および下側スクリーン２の重量により、第１巻き取りパイプ１２が回転し、第１昇降コード４が巻き解かれボトムレール６は下降する。
【００１７】
操作コード８により入力された回転は同時に第２回転軸１１を伝わり軸方向に摺動可能な状態で継合する第２巻き取りパイプ１３を回転させることにより、第２昇降コード５が巻き解かれ中間レール７は下降する。これによりボトムレール６と中間レール７は同時に下降することとなり、下側スクリーン２は閉じた状態のまま上側スクリーン３は順次開張される。
【００１８】
図９により第１巻き取りパイプ１２および第２巻き取りパイプ１３が回転し第１昇降コード４および第２昇降コード５が巻き解かれている状態を示す。
【００１９】
図３により中間レール７およびボトムレール６が最下端にあり上側スクリーン３が全開で下側スクリーン２は閉じられた状態を示す。ボトムレール６および下側スクリーン２の重量により回転した第１巻き取りパイプ１２は、送りねじ１６により軸方向に移動し送りナット１８が送りねじ基部１７に当接したことにより回転が停止し、ボトムレール６は最下端の位置となる。第２巻き取りパイプ１３に巻き取られた第２昇降コード５はボトムレール６が最下端となる時にほぼ巻き解かれる長さとする。
【００２０】
図４によりボトムレール６が最下端に停止し、中間レール７が上昇中の状態を示す。第１巻き取りパイプ１２端部の送りナット１８が送りねじ基部１７に当接し回転を停止した状態において、操作コード８による回転を継続すると、ねじ１４とナット１５のクラッチ作用により第１巻き取りパイプへの回転が断絶されねじ１４が回転することとなりボトムレール６は上昇しない。また、第２巻き取りパイプ１３は回転を継続しているので第２昇降コード５は再び巻き取られ中間レール７は上昇する。これにより上側スクリーン３は順次閉じられ、下側スクリーン２は順次開張される。
【００２１】
図１０により第１巻き取りパイプ１２の回転が停止され第１昇降コード４が巻き取られず第２巻き取りパイプ１３は回転を継続され第２昇降コード５が巻き取られていることを示す。
【００２２】
図５により中間レール７が最上昇し上側スクリーン３が閉じた状態、ボトムレール６が最下端の位置で下側スクリーン２が全開した状態を示す。第２巻き取りパイプ１３は上側スクリーン３が全て閉じられた状態で回転を停止し、中間レール７の最上昇位置となる。
【００２３】
図６によりボトムレール６が最下端に停止し、中間レール７が下降中の状態を示す。操作コード８を前述とは反対回転に操作すると、第２巻き取りパイプ１３に巻き取られていた第２昇降コード５が巻き解かれ中間レール７は下降する。また、第１巻き取りパイプ１２はねじ１４のみが回転しボトムレール６は上昇しない。これにより上側スクリーン３は順次開張され、下側スクリーン２は順次閉じられる。
【００２４】
図７により中間レール７とボトムレール６が同時に上昇している状態を示す。中間レール７が最下端に達したとほぼ同時に、ねじ１４がナット１５に当接しクラッチが接続された状態となり、第１回転軸１０の回転が伝達され第１パイプは回転を開始し、第１昇降コード４を巻き取ることによってボトムレール６は上昇する。また、中間レール７が最下端に達した時、第２巻き取りパイプ１３の第２昇降コード５はほぼ巻き解かれ回転を継続することにより再度巻き取られ中間レール７は上昇する。
【００２５】
これにより下側スクリーン２は閉じられたまま、上側スクリーン３は順次閉じられる。この時第２巻き取りパイプ１３への第２昇降コード５の巻き取りを確実に整列させるために、第１巻き取りパイプ１２に設けたガイド１９により第２巻き取りパイプ１３を引っ掛け送りねじ１６による軸方向への移動を同調させることができる。
【００２６】
図８により中間レール７とボトムレール６が最上昇し上側スクリーンと下側スクリーンが閉じられた状態を示す。
【図面の簡単な説明】
【００２７】
【図１】上下スクリーンが閉じられた略図
【図２】下側スクリーンが閉じたまま上側スクリーンが開張途中の略図
【図３】下側スクリーンが閉じたまま上側スクリーンが全開の略図
【図４】上側スクリーンが閉じられ途中で下側スクリーンが開張途中の略図
【図５】上側スクリーンが閉じられ下側スクリーンが全開の略図
【図６】下側スクリーンが閉じられ途中で上側スクリーンが開張途中の略図
【図７】下側スクリーンが閉じたまま上側スクリーンが閉じられ途中の略図
【図８】上下スクリーンが再び閉じられた略図
【図９】図２の状態の断面を示す略図
【図１０】図４の状態の断面を示す略図
【符号の説明】
【００２８】
１：ヘッドボックス
２：下側スクリーン
３：上側スクリーン
４：第１昇降コード
５：第２昇降コード
６：ボトムレール
７：中間レール
８：操作コード
９：操作部
１０：第１回転軸
１１：第２回転軸
１２：第１巻き取りパイプ
１３：第２巻き取りパイプ
１４：ねじ
１５：ナット
１６：送りねじ
１７：送りねじ基部
１８：送りナット
１９：ガイド
２０：巻き取りドラム受け
２１：ローラー
【図１】
0003131044.tif 000003
【図２】
0003131044.tif 000004
【図３】
0003131044.tif 000005
【図４】
0003131044.tif 000006
【図５】
0003131044.tif 000007
【図６】
0003131044.tif 000008
【図７】
0003131044.tif 000009
【図８】
0003131044.tif 000010
【図９】
0003131044.tif 000011
【図１０】
0003131044.tif 000012